(57)【要約】【課題】  多層式光ディスクに複数のレイヤを跨いでリアルタイム情報を記録させる。【解決手段】  入力されたリアルタイム情報に基づき、ＶＯＢを生成するビデオオブジェクト生成部１０４と、生成されたＶＯＢが２層式ＤＶＤ１１４のレイヤ０に記録できるか否かを判定する記録レイヤ判定部１０５と、ＶＯＢがレイヤ０に記録できないと判定された場合、レイヤ１を新たな記録先レイヤとしてＶＯＢの記録開始位置を変更するレイヤ境界管理部１０６，１０６ａと、ＶＯＢをレイヤ１に記録するビデオオブジェクト記録部１０７とを備え、両レイヤにビデオオブジェクト生成部１０４で順次生成されたＶＯＢを記録するように構成した。【選択図】      図１
2006260702.tif 000002
【特許請求の範囲】
【請求項１】
入力されたリアルタイム映像情報を所定のフォーマットに変換して、複数のデータ記録層にそれぞれ対応した複数のレイヤを有する多層式光ディスクに記録するディスク記録装置であって、
前記入力されたリアルタイム映像情報に基づき、パケット化したビデオ・オブジェクト・データを生成するビデオオブジェクト生成手段と、
このビデオオブジェクト生成手段で生成されたビデオ・オブジェクト・データが前記多層式光ディスクの記録先レイヤに記録できるか否かを判定する記録レイヤ判定手段と、
この記録レイヤ判定手段で、前記ビデオ・オブジェクト・データが前記記録先レイヤに記録できないと判定された場合、前記記録先レイヤとは異なるレイヤを新たな記録先レイヤとして前記ビデオ・オブジェクト・データの記録開始位置を変更するレイヤ境界管理手段と、
前記ビデオ・オブジェクト・データを前記記録先レイヤ又は前記新たな記録先レイヤに記録するビデオオブジェクト記録手段とを備えて、
前記生成されたビデオ・オブジェクト・データを順次記録するディスク記録装置。
【請求項２】
入力されたリアルタイム映像情報を所定のフォーマットに変換して、複数のデータ記録層にそれぞれ対応した複数のレイヤを有する多層式光ディスクに記録するディスクへの記録方法であって、
前記入力されたリアルタイム映像情報に基づき、パケット化されたビデオ・オブジェクト・データを生成するビデオオブジェクト生成ステップと、
このビデオオブジェクト生成ステップで生成されたビデオ・オブジェクト・データが前記多層式光ディスクの記録先レイヤに記録できるか否かを判定する記録レイヤ判定ステップと、
この記録レイヤ判定ステップで、前記ビデオ・オブジェクト・データが前記記録先レイヤに記録できないと判定された場合、前記記録先レイヤとは異なるレイヤを新たな記録先レイヤとして前記ビデオ・オブジェクト・データの記録開始位置を変更するレイヤ境界管理ステップと、
前記ビデオ・オブジェクト・データを前記記録先レイヤ又は前記新たな記録先レイヤに記録するビデオオブジェクト記録ステップとにより、
前記生成されたビデオ・オブジェクト・データを順次記録するディスクへの記録方法。
【請求項３】
前記レイヤ境界管理ステップは、
前記記録レイヤ判定ステップで前記ビデオ・オブジェクト・データが前記記録先レイヤに記録できないと判定された場合、前記記録先レイヤに記録最終位置を設定すると共に、前記記録先レイヤとは異なるレイヤを新たな記録先レイヤとして所定の記録開始位置を設定して、レイヤ境界を変更するようにしたことを特徴とする請求項２に記載のディスクへの記録方法。
【請求項４】
前記レイヤ境界管理ステップは、
前記記録レイヤ判定ステップで前記ビデオ・オブジェクト・データが前記記録先レイヤに記録できないと判定された場合、前記記録先レイヤの記録可能最終位置までパディングデータを挿入すると共に、前記記録先レイヤとは異なるレイヤを新たな記録先レイヤに変更するようにしたことを特徴とする請求項２に記載のディスクへの記録方法。
【発明の詳細な説明】
【技術分野】
【０００１】
本発明は、ディスク記録装置及びディスク記録方法に係り、特にＤＶＤ  ＤＬ（Ｄｉｇｉｔａｌ  Ｖｅｒｓａｔｉｌｅ  Ｄｉｓｃ  Ｄｕａｌ  Ｌａｙｅｒ）等のように２つ以上のデータ記録層（レイヤ）を有する多層化ディスクに、リアルタイム情報を直接各レイヤを跨いで記録させることを可能にするディスク記録装置及びディスク記録方法に関する。
【背景技術】
【０００２】
デジタル情報化社会の本格的到来により、映像や音声等のデータもデジタルデータとして扱うのが一般的になってきた。これに伴って、データ記録に用いられる記録媒体は、従来主流であったテープからランダムアクセスが可能なディスクへと変わってきている。特に、保存性や可搬性に優れた光ディスクは、テープに替わるデジタルデータ記録媒体として重要な位置を占めるものである。
【０００３】
さらに、光ディスクの中では、高画質映像の記録や長時間映像の記録といった大容量データの記録が可能なＤＶＤが使われ始め、近年では、映像・音声データの記録再生に関するＤＶＤ規格であるＤＶＤビデオ規格が規格化されたことにもより、この規格に対応したＤＶＤ記録装置やＤＶＤ再生装置等が広く普及している。
【０００４】
このＤＶＤについては、記録可能容量をさらに大きくするために、ディスク片面のデータ記録層を２層化した２層式ＤＶＤも規格化され始めており、これにより、従来の単層式ＤＶＤに比べて約２倍の記録容量を得ることができるようになった。
【０００５】
ここで、ＤＶＤビデオ規格に基づくＤＶＤ上の映像・音声データ領域の論理データ構造の例を図７に示してその構成を説明する。同図に示したとおり、ＤＶＤビデオ規格に基づく映像・音声データ領域には映像・音声データの再生に必要な全てのデータが格納されており、その論理データ構造は階層構造となっている。
【０００６】
まず、第１層はＶＭＧ（Ｖｉｄｅｏ  Ｍａｎａｇｅｒ）７１とタイトル数分のＶＴＳ（Ｖｉｄｅｏ  Ｔｉｔｌｅ  Ｓｅｔ）７２−１〜７２−ｊとから構成される。ＶＭＧ７１は映像・音声データ領域全体についての管理情報が格納されるパケットであり、更にいくつかのデータ構造に分割されるがここでは説明を省略する。
【０００７】
ＶＴＳ７２は、ＶＴＳＩ（Ｖｉｄｅｏ  Ｔｉｔｌｅ  Ｓｅｔ  Ｉｎｆｏｒｍａｔｉｏｎ）７３とＶＯＢＳ（Ｖｉｄｅｏ  Ｏｂｊｅｃｔ  Ｓｅｔ）７４とＶＴＳＩ（ＢＵＰ）７５とから構成される。ＶＴＳＩ７３には、対応するＶＴＳ７２に関する管理情報が格納され、ＶＴＳＩ（ＢＵＰ）７５にはＶＴＳＩ７３のバックアップデータが格納される。そして、ＶＯＢＳ７４には映像・音声データやメニューコンテンツが格納されるが、このメニューコンテンツの格納は必須ではなく、同図においては映像・音声データのみを格納したＶＯＢ（Ｖｉｄｅｏ  Ｏｂｊｅｃｔ）７６−１〜７６−ｋを構成している。
【０００８】
そしてＶＯＢ７６は、再生時に使用されるサーチ情報等が格納されたＮａｖｉｇａｔｉｏｎ７７と符号化された映像データが格納されたＶｉｄｅｏ７８と符号化された音声データが格納されたＡｕｄｉｏ７９とから構成された集合体が１つのＶＯＢＵ（Ｖｉｄｅｏ  Ｏｂｊｅｃｔ  Ｕｎｉｔ）として複数構成されている。
【０００９】
なお、これらＤＶＤビデオ規格に基づく論理データ構造の詳細説明は、例えば後述する特許文献１にも記載されているが、上記説明におけるＮａｖｉｇａｔｉｏｎ７７に格納されるサーチ情報等とは、該当するＶＯＢＵのサーチ情報（ＶＯＢＵ＿ＳＲＩ）と該当するＶＯＢ７６の最終時間情報（ＳＭＬ＿ＰＢＩ内のＶＯＢ＿Ｖ＿Ｅ＿ＰＴＭ）とを指すものである。
【００１０】
上述したような論理データ構造を有するＤＶＤに映像・音声データを記録する際の記録順序は概略次のとおりである。つまり、ＶＭＧ７１の記録領域が確保された後、１つ目のＶＴＳ７２についてＶＴＳＩ７３の記録領域が確保された後にＶＯＢＳ７４が先に記録され、このＶＯＢＳ７４の記録が完了した後に、先に領域確保されたＶＴＳＩ７３への記録とＶＴＳＩ（ＢＵＰ）７５の追加記録とが行われるという順序になる。２つ目以降のＶＴＳ７２についても同様であり、記録すべき全てのＶＴＳ７２が記録された後に、映像・音声データ領域全体の管理情報がＶＭＧ７１に記録されるという順序になっている。
【００１１】
さらに、ＶＯＢ７６については、ＶＯＢ＃１＠ＶＯＢＳ＃２  ７６−１を例に説明すると、このＶＯＢを構成する全てのＶｉｄｅｏ７８とＡｕｄｉｏ７９とに格納される映像・音声データが先に準備された後、この準備された映像・音声データに対応するサーチ情報等を含むＮａｖｉｇａｔｉｏｎ７７が生成され、ＶＯＢのデータ構造に構成されたものがＤＶＤのＶＯＢ＃１＠ＶＯＢＳ＃２  ７６−１に記録されるという順序になる。
【００１２】
すなわち、ＤＶＤビデオ規格によれば、ＤＶＤへのＶＯＢの記録はＶＯＢに記録すべき映像・音声データを準備した後でなければＮａｖｉｇａｔｉｏｎを生成することができないため、メモリやハードディスクといった記憶手段に一旦ＶＯＢのイメージを作成してからＤＶＤのＶＯＢに記録するという２パス記録が行われることが通常である。
【００１３】
ここで、例えば特許文献１に開示された発明のように、ＤＶＤの記録領域の先頭部分に所定容量分の記録領域を予め確保しておき、次にこの記録領域に続けて映像・音声データ等のリアルタイム情報を記録した後、予め確保しておいた記録領域にリアルタイム情報に関連する制御情報を記録するように構成した「リアルタイム情報を記録するためのＤＶＤ記録装置」が知られている。このＤＶＤ記録装置は、リアルタイム情報の記録を１パスで行うことができるという特徴を有するものである。
【００１４】
特許文献１に開示された発明は、具体的な例を示してその記録手順を説明すると、１つのＶＴＳのみが記録される場合、まずＤＶＤの記録先頭領域部分にＶＭＧの記録領域とＶＴＳＩ＃１の記録領域とをそれぞれ確保した後、これらの記録領域に続けてＶＯＢＳ＃１を記録し、次にＶＴＳＩ＃１の記録領域にＶＴＳＩ＃１を記録すると共にＶＯＢＳ＃１の後にＶＴＳＩ（ＢＵＰ）＃１を追記録する。そして、最後にＶＭＧを先に確保しておいたＶＭＧの記録領域に記録するという手順によるものである。
【００１５】
また、特許文献２には、少なくとも２つの情報層のトラックを有したマルチレイヤディスクにデータをブロック単位で記録する記録方法が開示されている。
【特許文献１】特表２００２−５３０８００号公報
【特許文献２】特表２００４−５１７４２５号公報
【発明の開示】
【発明が解決しようとする課題】
【００１６】
ところで、ＶＯＢＳを２層式ＤＶＤにレイヤを跨いで記録させる場合、ＤＶＤビデオ規格によればＶＯＢＳを構成するＶＯＢ自身がレイヤを跨いではならないと規定されている。これは、ＤＶＤ再生装置がレイヤを跨いで記録されたＶＯＢを再生させる場合、このＶＯＢの読み出し時のレイヤ間の遷移処理において、ディスクからの読み出し処理が間に合わずバッファー・アンダーフローを引き起こす等の不具合を防ぐためである。
【００１７】
よって、ＤＶＤビデオ規格による前記の規定が満足されない場合、ＤＶＤ再生装置によっては、再生映像のフリーズや装置のハングアップを起こしてしまう可能性がある。そこで、例えばパーソナルコンピュータのハードディスクドライブ等に一旦記録しておいたコンテンツデータを２層式ＤＶＤにコピーする際には、一方のレイヤにコンテンツデータ（ＶＴＳ）が収まるように記録するか、レイヤを跨いで記録する場合にはＶＯＢＳを構成するＶＯＢのいずれもがレイヤを跨がないように予め記録開始位置を調整して記録するようにして前述の不具合を回避している。
【００１８】
このようにして、２層式ＤＶＤにコンテンツデータが記録された場合の論理データ構造の例を図６に示す。同図（ａ）は、各レイヤにＶＴＳが収まるように格納した場合のデータ構造であり、同図（ｂ）は、レイヤを跨いでＶＴＳを記録させた場合であって、予め記録開始位置を調整してＶＯＢの境界がレイヤ境界に一致するように記録した場合のデータ構造である。
【００１９】
しかしながら、予めＶＯＢの境界をレイヤ境界に一致させるために記録開始位置を調整しておくということは、外部から入来したリアルタイム情報を２層式ＤＶＤに直接記録させる場合においては実質不可能であり、これを解決する手段及び方法は、特許文献１及び特許文献２等に開示及び示唆されていない。
【００２０】
ゆえに、従来の記録方式によれば、ＤＶＤビデオ規格によってリアルタイム情報を直接２層式ＤＶＤに記録する場合、１つのコンテンツデータをレイヤを跨いで直接記録することができないため、単層式ＤＶＤの約２倍の記録容量を有する２層式ＤＶＤであっても、コンテンツデータ単体の容量は単層式ＤＶＤに記録可能な容量となんら変らず、２層式ＤＶＤのメリットが生かされていないという問題があった。
【００２１】
そこで、本発明は、上述したような従来の問題に鑑みてなされたものであり、２層式ＤＶＤ等の多層式光ディスクにリアルタイム情報を直接記録させる場合に、レイヤを跨いでコンテンツデータを直接記録させることを容易に可能にするディスク記録装置及びディスク記録方法を提供することを目的とする。
【課題を解決するための手段】
【００２２】
上記の課題を解決するために請求項１に記載の発明は、入力されたリアルタイム映像情報を所定のフォーマットに変換して、複数のデータ記録層にそれぞれ対応した複数のレイヤを有する多層式光ディスクに記録するディスク記録装置であって、前記入力されたリアルタイム映像情報に基づき、パケット化したビデオ・オブジェクト・データを生成するビデオオブジェクト生成手段と、このビデオオブジェクト生成手段で生成されたビデオ・オブジェクト・データが前記多層式光ディスクの記録先レイヤに記録できるか否かを判定する記録レイヤ判定手段と、この記録レイヤ判定手段で、前記ビデオ・オブジェクト・データが前記記録先レイヤに記録できないと判定された場合、前記記録先レイヤとは異なるレイヤを新たな記録先レイヤとして前記ビデオ・オブジェクト・データの記録開始位置を変更するレイヤ境界管理手段と、前記ビデオ・オブジェクト・データを前記記録先レイヤ又は前記新たな記録先レイヤに記録するビデオオブジェクト記録手段とを備えて、前記生成されたビデオ・オブジェクト・データを順次記録するディスク記録装置を提供する。
【００２３】
また、請求項２に記載の発明は、入力されたリアルタイム映像情報を所定のフォーマットに変換して、複数のデータ記録層にそれぞれ対応した複数のレイヤを有する多層式光ディスクに記録するディスクへの記録方法であって、前記入力されたリアルタイム映像情報に基づき、パケット化されたビデオ・オブジェクト・データを生成するビデオオブジェクト生成ステップと、このビデオオブジェクト生成ステップで生成されたビデオ・オブジェクト・データが前記多層式光ディスクの記録先レイヤに記録できるか否かを判定する記録レイヤ判定ステップと、この記録レイヤ判定ステップで、前記ビデオ・オブジェクト・データが前記記録先レイヤに記録できないと判定された場合、前記記録先レイヤとは異なるレイヤを新たな記録先レイヤとして前記ビデオ・オブジェクト・データの記録開始位置を変更するレイヤ境界管理ステップと、前記ビデオ・オブジェクト・データを前記記録先レイヤ又は前記新たな記録先レイヤに記録するビデオオブジェクト記録ステップとにより、前記生成されたビデオ・オブジェクト・データを順次記録するディスクへの記録方法を提供する。
【００２４】
さらに、請求項３に記載の発明は、前記レイヤ境界管理ステップは、前記記録レイヤ判定ステップで前記ビデオ・オブジェクト・データが前記記録先レイヤに記録できないと判定された場合、前記記録先レイヤに記録最終位置を設定すると共に、前記記録先レイヤとは異なるレイヤを新たな記録先レイヤとして所定の記録開始位置を設定して、レイヤ境界を変更するようにしたことを特徴とする請求項２に記載のディスクへの記録方法を提供する。
【００２５】
さらにまた、請求項４に記載の発明は、前記レイヤ境界管理ステップは、前記記録レイヤ判定ステップで前記ビデオ・オブジェクト・データが前記記録先レイヤに記録できないと判定された場合、前記記録先レイヤの記録可能最終位置までパディングデータを挿入すると共に、前記記録先レイヤとは異なるレイヤを新たな記録先レイヤに変更するようにしたことを特徴とする請求項２に記載のディスクへの記録方法を提供する。
【発明の効果】
【００２６】
本発明に係るディスク記録装置及びディスク記録方法によれば、複数のデータ記録層を有する多層式光ディスクにリアルタイム情報を直接記録させる場合において、従来方式では不可能であった、コンテンツデータのレイヤを跨いだ記録が容易に可能となる。
【発明を実施するための最良の形態】
【００２７】
以下、本発明を実施するための最良の形態について、好ましい実施例を示して詳細に説明する。
【実施例１】
【００２８】
図１は、本実施例において適用される、ＤＶＤの少なくとも片面に２つのデータ記録層を形成した２層式ＤＶＤ（以下、２層式ＤＶＤと記す。）に、外部から入力された映像・音声データ等のリアルタイム情報（以下、コンテンツデータと記す。）を、ハードディスクドライブ等の別の記録媒体を介することなく直接記録するディスク記録装置の概略の機能ブロックを示した図である。
【００２９】
同図において、ディスク記録装置は、入力端子部１０１、入力処理部１０２、エンコーダ部１０３、ビデオオブジェクト生成部１０４、記録レイヤ判定部１０５、レイヤ境界管理部１０６、ビデオオブジェクト記録部１０７、ビデオオブジェクト情報検出部１１０、ビデオオブジェクト情報記憶部１１１、管理情報生成部１１２、管理情報記録部１１３、及びＤＶＤドライブ部１１５を備えている。また、ＤＶＤドライブ部１１５には２層式ＤＶＤ１１４が搭載される。
【００３０】
このディスク記録装置において、不図示の外部装置から入力端子部１０１を介して入力される入力信号は、映像信号及び音声信号又はいずれか一方であり、入力処理部１０２に供給される。
【００３１】
入力処理部１０２は、供給された入力信号をフォーマット変換してエンコーダ部１０３に供給する機能を有する。例えば、入力信号がアナログコンポジット信号及びアナログステレオ音声信号であった場合、入力処理部１０２はアナログコンポジット信号をデジタル色差データに変換し、そしてアナログステレオ音声信号をデジタル音声信号に変換する。
【００３２】
エンコーダ部１０３は、入力処理部１０２から供給されたフォーマット変換処理後のデータを符号化処理してストリームを出力する機能を有する。例えば、エンコーダ部１０３は、入力処理部１０２からデジタル色差データ及びデジタル音声データがそれぞれ供給された場合、デジタル色差データをＭＰＥＧ２方式によって符号化し、そしてデジタル音声データをＤｏｌｂｙ（登録商標）ＡＣ−３方式で符号化し、これら符号化データをプログラムストリームにエンコードして出力する。
【００３３】
ビデオオブジェクト生成部１０４は、エンコーダ部１０３から供給されたプログラムストリームについて、ＶＯＢを順次生成してビデオオブジェクト記録部１０７に出力する機能と、順次生成されたＶＯＢを少なくともＶＯＢの集合体であるＶＯＢＳ分一時記憶する機能とを有する。
【００３４】
記録レイヤ判定部１０５は、ビデオオブジェクト生成部１０４に一時記憶されているＶＯＢ容量に基づき、２層式ＤＶＤ１１４が有するレイヤ０とレイヤ１とのうち現在記録しているレイヤ内に、生成されたＶＯＢが記録可能か否かを判定する機能を有する。
【００３５】
レイヤ境界管理部１０６は、記録レイヤ判定部１０５の判定結果に基づき、２層式ＤＶＤ１１４のレイヤ０とレイヤ１との境界をＶＯＢが跨がないように変更する機能を有する。
【００３６】
ビデオオブジェクト記録部１０７は、記録レイヤ判定部１０５の判定結果とレイヤ境界管理部１０６のレイヤの変更結果とに基づき、ビデオオブジェクト生成部１０４から供給されたＶＯＢをＤＶＤドライブ部１１５に搭載された２層式ＤＶＤ１１４に記録させるための機能を有する。
【００３７】
ビデオオブジェクト情報検出部１１０は、ビデオオブジェクト生成部１０４で生成されたＶＯＢの集合体であるＶＯＢＳから時間情報とアドレス情報と不連続点情報とで構成されるビデオオブジェクト情報を検出する機能を有する。
【００３８】
ビデオオブジェクト情報記憶部１１１は、ビデオオブジェクト情報検出部１１０から供給されたビデオオブジェクト情報を一時記憶する機能を有する。
【００３９】
管理情報生成部１１２は、ビデオオブジェクト情報記憶部１１１に記憶されたビデオオブジェクト情報に基づき、ＶＴＳＩとＶＴＳＩ（ＢＵＰ）とを生成する機能を有する。
【００４０】
管理情報記録部１１３は、管理情報生成部１１２から供給されたＶＴＳＩとＶＴＳＩ（ＢＵＰ）とを２層式ＤＶＤ１１４の所定の場所に記録する機能を有する。
【００４１】
ＤＶＤドライブ部１１５は、２層式ＤＶＤ１１４にデータを記録可能なＤＶＤ記録ドライブ装置である。ＤＶＤドライブ部１１５の２層式ＤＶＤ１１４のレイヤ０とレイヤ１とのレイヤを跨いだ記録動作は、オポジット・トラック・パス方式によるものである。
【００４２】
上記説明したディスク記録装置の各機能は、ＤＶＤビデオ規格に準拠したＤＶＤ記録装置やＤＶＤ記録再生装置、又はＤＶＤドライブユニットを接続して制御可能なパーソナルコンピュータに搭載されたＣＰＵ等の制御手段やメモリ等の記憶手段を用いることによって実現することが可能である。
【００４３】
次に、上記構成のディスク記録装置によって、１つのコンテンツデータが２層式ＤＶＤ１１４にレイヤを跨いで記録された場合のディスクの論理データ構造を図２に示す。なお、同図は図７の論理データ構成図における上位第３層までを示しており第４層以下は省略している。図２の論理データ構造は、ＶＯＢ＃１〜＃ｍ＠ＶＯＢＳ＃１がレイヤ０に記録された後、次に記録されるべきＶＯＢ＃ｍ＋１が記録される代わりにＰＡＤＤＩＮＧ１が記録されることを示している。そして、レイヤ０の記録最終位置２０１と、記録最終位置２０１に応じた２層式ＤＶＤ１１４におけるＤＶＤドライブ部１１５が有する不図示のデータ記録用光ピックアップを最も移動させない位置でのレイヤ１の記録開始位置２０２と、がそれぞれ決定されてレイヤの境界ＩＮＡＣＣＥＳＳＩＢＬＥ  ＡＲＥＡ２０３が設定されることを示している。そして、この設定されたレイヤ１の記録開始位置２０２からＶＯＢ＃ｍ＋１が記録されることを示している。よって、同図中のＩＮＡＣＣＥＳＳＩＢＬＥ  ＡＲＥＡ２０３は記録及び再生が不可能な領域となる。
【００４４】
例えば、各レイヤの容量が１０００（１６進数）であって、レイヤ境界を１０００から０Ｆ００に変更したとすると、レイヤ変更前のレイヤ０は００００〜０ＦＦＦ、レイヤ１は１０００〜１ＦＦＦであるが、レイヤ変更後のレイヤ０は００００〜０ＥＦＦ、レイヤ１は０Ｆ００〜１ＤＦＦとなり、０２００分の領域がアクセス不可能領域となる。
【００４５】
また、ＤＶＤビデオ規格における１つのＥＣＣ（Ｅｒｒｏｒ  Ｃｏｒｒｅｃｔｉｎｇ  Ｃｏｄｅ）ブロックサイズは１６セクタであることから、レイヤ境界は１６セクタの倍数の位置にしか変更できないため、ＰＡＤＤＩＮＧ１はＥＣＣブロックの境界位置までのデータ領域となっている。
【００４６】
次に、ディスク記録装置の動作について、図３に示したフローチャートを参照しながら説明する。同図のフローチャートは、複数のＶＯＢからなる１つのＶＴＳを、レイヤ０とレイヤ１とを有する２層式ＤＶＤ１１４に記録させる処理の流れについて示したものである。なお、本実施例においては、入力端子１０１を介して入力される入力信号はアナログコンポジット信号及びアナログステレオ音声信号である。
【００４７】
レイヤ０及びレイヤ１に記録可能領域を有した２層式ＤＶＤ１１４をＤＶＤドライブ部１１５に搭載してディスク記録装置を記録可能な状態にさせると、まず初期化処理として、ＶＭＧ及びＶＴＳＩの記録領域が確保されて、この確保された記録領域の後に最初のＶＯＢ＃１の記録開始点が設定されてから記録待ちとなる（ステップＳ３０１）。
【００４８】
入力端子１０１から入力信号が入力されると、入力処理部１０２は入力信号をエンコーダ部１０３の処理に適したフォーマットに変換してエンコーダ部１０３に供給する（ステップＳ３０２）。
【００４９】
次に、エンコーダ部１０３は、供給されたフォーマット変換後の入力信号を映像信号についてはＭＰＥＧ２方式によって符号化し、そして音声信号についてはＬｉｎｅａｒ  ＰＣＭ方式、Ｄｏｌｂｙ  ＡＣ−３方式、ＭＰＥＧ  Ａｕｄｉｏ方式等で符号化し、これら符号化されたデータをプログラムストリームに形成して出力する（ステップＳ３０３）。
【００５０】
次に、ビデオオブジェクト生成部１０４は、プログラムストリームの供給を受けるとＶＯＢを生成してＶＯＢＳの一部として記憶する（ステップＳ３０４）。
【００５１】
次に、一方として、ビデオオブジェクト情報検出部１１０は、ビデオオブジェクト生成部１０４で生成されたＶＯＢがＶＯＢＳとしてまとまったときは、前述のビデオオブジェクト情報をＶＯＢＳから抽出してビデオオブジェクト情報記憶部１１１に記憶させる（ステップＳ３０５）。
【００５２】
また、他方として、記録レイヤ判定部１０５は、生成されたＶＯＢがレイヤー０に記録可能か否かを、ビデオオブジェクト生成部１０４に現在一時記憶されているＶＯＢＳとしての全てのＶＯＢの容量とレイヤ０の全記録可能容量とに基づきレイヤ０の記録可能残量を得て、この記録可能残量と生成されたＶＯＢの容量との比較に基づき判定する（ステップＳ３０６）。
【００５３】
すなわち、ＶＯＢがレイヤ０内に記録可能と判定された場合は（ステップＳ３０６  Ｙｅｓ）、ビデオオブジェクト記録部１０７は、ビデオオブジェクト生成部１０４からＶＯＢの供給を受けて２層式ＤＶＤ１１４の記録開始点から記録して記録開始点を更新する（ステップＳ３０７）。
【００５４】
ステップＳ３０６において、生成されたＶＯＢがレイヤー０内に記録できないと判定された場合は（ステップＳ３０６  Ｎｏ）、レイヤ境界管理部１０６は、ＰＡＤＤＩＮＧ１を生成する（ステップＳ３０８）。このＰＡＤＤＩＮＧ１は、ＶＯＢとは区別される特定のデータ列であり、その容量は、前述したとおりＥＣＣブロックの境界のうち最も近い境界までの容量を算出して得られるものである。なお、ＶＯＢの最終位置がＥＣＣブロックの境界に一致する場合は、ＰＡＤＤＩＮＧ１は生成されない。
【００５５】
次に、レイヤ境界管理部１０６は、レイヤ０とレイヤ１との境界をＰＡＤＤＩＮＧ１の直後に変更する（ステップS３０９）。より具体的には、ＰＡＤＤＩＮＧ１が生成された後、レイヤ０の記録最終位置２０１と、記録最終位置２０１に応じた２層式ＤＶＤ１１４におけるＤＶＤドライブ部１１５のデータ記録用光ピックアップを最も移動させない位置でのレイヤ１の記録開始位置２０２と、をそれぞれ決定してレイヤの境界ＩＮＡＣＣＥＳＳＩＢＬＥ  ＡＲＥＡ２０３を設定する。
【００５６】
そして次に、ビデオオブジェクト記録部１０７は、生成されたＰＡＤＤＩＮＧ１を２層式ＤＶＤ１１４の記録開始点から記録した後、先に生成されたＶＯＢをレイヤの境界ＩＮＡＣＣＥＳＳＩＢＬＥ  ＡＲＥＡ２０３を介して記録して記録開始点を更新する（ステップＳ３１０）。
【００５７】
そして、ディスク記録装置は、入力信号が継続して入力されているか否かを確認し（ステップＳ３１１）、入力信号が継続して入力されている場合（ステップＳ３１１  Ｎｏ）は、上述したステップＳ３０２〜ステップＳ３１０の処理を実行する。
【００５８】
ステップＳ３１１において入力信号が停止されたと判断された場合は（ステップＳ３１１  Ｙｅｓ）、管理情報生成部１１２は、ビデオオブジェクト情報記憶部１１１に記憶されたビデオオブジェクト情報を読み出して、ビデオオブジェクト記録部１０７が記録したＶＯＢＳに対応するＶＴＳＩとＶＴＳＩ（ＢＵＰ）とをそれぞれ生成する（ステップＳ３１２）。
【００５９】
そして、管理情報記録部１１３は、管理情報生成部１１２で生成されたＶＴＳＩをステップＳ３０１で予め確保された記録領域に記録し、そしてＶＴＳＩ（ＢＵＰ）を最後に記録されたＶＯＢに続けて記録する（ステップＳ３１３）。
【００６０】
以上のように、実施例１に係るディスク記録装置及びディスク記録方法によれば、入力端子１０１を介して入力されたリアルタイム情報の入力信号をＤＶＤドライブ部１１５に搭載された２層式ＤＶＤ１１４にビデオオブジェクト記録部１０５経由で順次記録する場合において、記録されるコンテンツデータがレイヤ０とレイヤ１との両方に跨ぐ場合は、レイヤの切替位置とコンテンツデータを構成するＶＯＢの境界とが一致するように、レイヤ境界管理部１０６によってＩＮＡＣＣＥＳＳＩＢＬＥ  ＡＲＥＡ２０３を設けてレイヤ境界を変更するようにした。これにより、オポジット・トラック・パス方式による２層式ＤＶＤ１１４へのデータ記録において、リアルタイム情報としてのコンテンツデータをディスクに直接記録しても両レイヤ間でのデータ記録の連続性に問題が生じることがない。よって、レイヤを跨がなければ記録できない容量のコンテンツデータを１つのＶＴＳとして記録させることが容易に可能である。
【実施例２】
【００６１】
本実施例は、外部から入力されたリアルタイム情報を、ハードディスクドライブ等の別の記録媒体を介することなく２層式ＤＶＤに直接記録するためのディスク記録装置についてその構成と動作を説明するものである。実施例１と比較して、一部特にレイヤ境界管理部１０６及びビデオオブジェクト記録部１０７の処理が異なるのみである。そこで、本実施例においては、実施例１と同一の構成及び処理ステップについては同一の番号を付与してその説明を省略し、異なる部分のみに新たな番号を付与して説明する。
【００６２】
本実施例のディスク記録装置の機能ブロック図は図１に示したものと同一である。但し、同図において、レイヤ境界管理部１０６は、実施例１と同一のＰＡＤＤＩＮＧ１を生成した後、更にレイヤ境界まで別のパディングデータを生成し、レイヤ境界を変更することなくＶＯＢの境界をレイヤの境界に一致させる機能を有する。
【００６３】
次に、上記構成のディスク記録装置によって、１つのコンテンツデータが２層式ＤＶＤ１１４にレイヤを跨いで記録された場合のディスクの論理データ構造を図４に示す。なお、同図は図７の論理データ構成図における上位第３層までを示しており第４層以下は省略している。図４の論理データ構造は、ＶＯＢ＃１〜＃ｍ＠ＶＯＢＳ＃１がレイヤ０に記録された後、次に記録されるべきＶＯＢ＃ｍ＋１が記録される代わりにＰＡＤＤＩＮＧ１が記録され、そしてさらにレイヤ境界位置までＰＡＤＤＩＮＧ２が記録されてから、レイヤ１の先頭からＶＯＢ＃ｍ＋１が記録されることを示している。
【００６４】
また、ＤＶＤビデオ規格における１つのＥＣＣブロックサイズは１６セクタであることから、レイヤ境界は１６セクタの倍数の位置にしか変更できないため、ＰＡＤＤＩＮＧ１はＥＣＣブロックの境界位置までのデータ領域となっている。なお、ＶＯＢの最終位置がＥＣＣブロックの境界に一致する場合は、ＰＡＤＤＩＮＧ１は生成されない。
【００６５】
次に、ディスク記録装置の動作について、図５に示したフローチャートを参照しながら説明する。同図のフローチャートは、複数のＶＯＢからなる１つのＶＴＳを、レイヤ０とレイヤ１とを有する２層式ＤＶＤ１１４に記録させる処理の流れについて示したものである。なお、本実施例においても、入力端子１０１を介して入力される入力信号はアナログコンポジット信号及びアナログステレオ音声信号である。
【００６６】
同図のフローチャートにおいて、実施例１において説明した図２のフローチャートと特に異なる点は、ステップＳ３０９ａ及びステップＳ３１０ａであるので、これらの処理についてのみ説明する。すなわち、ステップＳ３０８でレイヤ境界管理部１０６がＰＡＤＤＩＮＧ１を生成した後、レイヤ境界管理部１０６は、ＰＡＤＤＩＮＧ１の後からレイヤ境界までの容量のＰＡＤＤＩＮＧ２を生成する（ステップS３０９ａ）。ＰＡＤＤＩＮＧ２は、ＰＡＤＤＩＮＧ１と同様に、ＶＯＢとは区別される特定のデータ列であり、ＰＡＤＤＩＮＧ１と同一のデータ列であってもよい。なお、ＶＯＢの最終位置がレイヤ境界に一致する場合は、ＰＡＤＤＩＮＧ２は生成されない。
【００６７】
次に、ビデオオブジェクト記録部１０７は、生成されたＰＡＤＤＩＮＧ１とＰＡＤＤＩＮＧ２とを２層式ＤＶＤ１１４の記録開始点から記録した後、ＶＯＢを記録して記録開始点を更新する（ステップＳ３１０ａ）。すなわち、ＶＯＢはレイヤ１の先頭位置から記録されることとなる。
【００６８】
以上のように、実施例２に係るディスク記録装置及びディスク記録方法によれば、入力端子１０１を介して入力されたリアルタイム情報の入力信号をＤＶＤドライブ部１１５に搭載された２層式ＤＶＤ１１４にビデオオブジェクト記録部１０５経由で順次記録する場合において、記録されるコンテンツデータがレイヤ０とレイヤ１との両方に跨ぐ場合は、レイヤの切替位置とコンテンツデータを構成するＶＯＢの境界とが一致するように、レイヤ境界管理部１０６によってレイヤ境界までパディングデータを挿入するようにした。これにより、オポジット・トラック・パス方式による２層式ＤＶＤ１１４へのデータ記録において、リアルタイム情報としてのコンテンツデータをディスクに直接記録しても、レイヤ境界部分の未記録部分は１つのＶＯＢの容量より少ないため両レイヤ間でのデータ記録の連続性に問題が生じることがない。よって、レイヤを跨がなければ記録できない容量のコンテンツデータを１つのＶＴＳとして記録させることが容易に可能である。
【００６９】
以上詳述したように、実施例１及び実施例２によれば、２層式ＤＶＤにリアルタイム情報を直接記録させる場合において、従来方式では不可能であった、レイヤを跨いだコンテンツデータの記録が容易に可能となり、単層式ＤＶＤの容量を超えて２層式ＤＶＤにしか記録することができない大容量のコンテンツデータを連続して記録することが容易に可能である。
【００７０】
なお、本実施の形態例では、２層式ＤＶＤを例として各実施例を説明したが、本発明思想が適用可能な媒体は、２層式ＤＶＤに限らず更に多層のデータ記録層を有する多層式ＤＶＤをはじめ、その他のマルチレイヤディスクに広く適用できるものである。
【産業上の利用可能性】
【００７１】
本発明は、リアルタイム情報をマルチレイヤディスクに直接記録させる用途において、特にオポジット・トラック・パス方式によって記録をする場合に、レイヤを跨いで連続記録する程の大容量コンテンツデータを記録する用途において有用である。
【図面の簡単な説明】
【００７２】
【図１】本発明の実施例１における、ディスク記録装置の概略の機能ブロックを示した図である。
【図２】実施例１のディスク記録装置によって、１つのＶＴＳが２層式ＤＶＤのレイヤを跨いで記録された場合の、ディスクの論理データ構造の例を示した図である。
【図３】実施例１のディスク記録装置の処理を説明するためのフローチャートを示した図である。
【図４】実施例２のディスク記録装置によって、１つのＶＴＳが２層式ＤＶＤのレイヤを跨いで記録された場合の、ディスクの論理データ構造の例を示した図である。
【図５】実施例２のディスク記録装置の処理を説明するためのフローチャートを示した図である。
【図６】従来方式によって、コンテンツデータが２層式ＤＶＤに記録された場合の論理データ構造の例を示した図である。
【図７】ＤＶＤビデオ規格に基づくＤＶＤ上の映像・音声データ領域の論理データ構造の例を示した図である。
【符号の説明】
【００７３】
１０１  入力端子部
１０２  入力処理部
１０３  エンコーダ部
１０４  ビデオオブジェクト生成部
１０５  記録レイヤ判定部
１０６  レイヤ境界管理部
１０７  ビデオオブジェクト記録部
１１０  ビデオオブジェクト情報検出部
１１１  ビデオオブジェクト情報記憶部
１１２  管理情報生成部
１１３  管理情報記録部
１１４  ２層式ＤＶＤ
１１５  ＤＶＤドライブ部
【図１】
2006260702.tif 000003
【図２】
2006260702.tif 000004
【図３】
2006260702.tif 000005
【図４】
2006260702.tif 000006
【図５】
2006260702.tif 000007
【図６】
2006260702.tif 000008
【図７】
2006260702.tif 000009